(57)【要約】【課題】  住戸内に間仕切り壁を形成するに当り、施工する対象の住戸を確認しながら当該住戸のどの位置に壁パネルを施工したらよいかが一目で確認できて施工工期、施工品質を安定化する。【解決手段】  あらかじめ工場で形成され現場に搬送して目的とする住戸１の間仕切り壁２を形成するための複数の壁パネル３よりなる壁パネルセットである。壁パネルセットを構成する全ての壁パネル３に、それぞれ施工される対象住戸１を表示するための住戸表示４と、対象住戸１内に間仕切り壁２を形成するに当っての該対象住戸１内における各壁パネル３の施工位置を特定して表示するための位置表示５とを設ける。【選択図】図１
2008007968.tif 000002
【特許請求の範囲】
【請求項１】
あらかじめ工場で形成され現場に搬送して目的とする住戸の間仕切り壁を形成するための複数の壁パネルよりなる壁パネルセットであって、該壁パネルセットを構成する全ての壁パネルに、それぞれ施工される対象住戸を表示するための住戸表示と、対象住戸内に間仕切り壁を形成するに当っての該対象住戸内における各壁パネルの施工位置を特定して表示するための位置表示とを設けて成ることを特徴とする間仕切り壁用壁パネルセット。
【請求項２】
各壁パネルに上記住戸表示、位置表示に加え、壁パネルの一面又は両面が間仕切りする２部屋のうちどちらの部屋側に位置するかを表示する部屋表示を設けて成ることを特徴とする請求項１記載の間仕切り壁用壁パネルセット。
【請求項３】
各壁パネルに上記住戸表示、位置表示に加え、壁パネルの一面又は両面が間仕切りする２部屋のうちどちらの部屋側に位置するかを表示する部屋表示を設け、少なくとも部屋表示が壁パネルの側端面に設けてあることを特徴とする請求項１記載の間仕切り壁用壁パネルセット。
【発明の詳細な説明】
【技術分野】
【０００１】
本発明は、あらかじめ工場で形成され現場に搬送して目的とする住戸の間仕切り壁を形成するための複数の壁パネルよりなる壁パネルセットに関するものである。
【背景技術】
【０００２】
マンションにおける各住戸の間仕切り壁は、オフィースビルなどの間仕切り壁に比べて間仕切りが複雑で且つ多様な間仕切りがなされるという特徴があり、このため、従来からマンションを建築する際に各住戸の間仕切り壁を形成するには、各住戸毎に現場で間仕切り壁下地を現場施工で形成し、この間仕切り壁下地に石膏ボードのような面板を現場で貼着することで形成していた。このため、現場施工工期が長くなり、また、職人の熟練度の違いにより工期が安定せず、更に施工品質にばらつきがあり、また、間仕切り壁下地を現場施工する際に建具枠も同時に施工する必要があり、建具枠が傷つきやすく、更に、現場施工に伴って廃棄物が多量に発生してこれを処分する手間が必要となり、更にまた、間仕切り壁下地を大工が現場施工する際に、同時に電気工事作業者による間仕切り壁下地内への配線工事が必要となり、工事の錯綜が生じるという諸問題があった。
【０００３】
また、プレハブ住宅においては、従来から外壁を複数の壁パネルにより構成することが知られている（例えば、特許文献１参照）。
【０００４】
そして、プレハブ住宅においては、外壁を構成するための複数種類の壁パネルにそれぞれ種類毎に品番が付けてあるが、同じ種類の壁パネルには同じ品番が付いており、同一現場で同じ品番の壁パネルが複数存在している。このように、壁パネルの種類を他の壁パネルと区別するため表示として品番が付いているのみで、全ての壁パネルにそれぞれの壁パネルの施工位置を特定する表示はついていない。また、プレハブ住宅においては、戸建てであるため、各パネルにそれぞれ住戸を特定する住戸表示はついていない。更に、プレハブ住宅においても間仕切りは通常現場で間仕切り壁下地を現場施工で形成し、この間仕切り壁下地に石膏ボードのような面板を現場で貼着することで形成しており、間仕切り壁の形成に当っては上記したような問題点がある。
【特許文献１】特開平１０−２８０５８６号公報
【発明の開示】
【発明が解決しようとする課題】
【０００５】
本発明は上記の従来の問題点に鑑みて発明したものであって、住戸内に間仕切り壁を形成するに当り、施工する対象の住戸を確認しながら当該住戸のどの位置に壁パネルを施工したらよいかが一目で確認できて施工工期が短くなると共に、施工工期及び施工品質の安定化が図れ、現場での廃棄物の発生が少なく、また、建具枠を後付けすることが可能となって建具枠の傷付きを防止でき、また、大工工事と電気工事との錯綜を防止することも可能となり、更に、壁パネルの施工に当って、壁パネルのどの面を間仕切りする２つの部屋のどの部屋側に位置させるかということを誤り無くでき、簡単且つ正確に施工できる間仕切り壁用壁パネルセットを提供することを課題とするものである。
【課題を解決するための手段】
【０００６】
上記課題を解決するために本発明に係る間仕切り壁用壁パネルセットは、あらかじめ工場で形成され現場に搬送して目的とする住戸１の間仕切り壁２を形成するための複数の壁パネル３よりなる壁パネルセットであって、該壁パネルセットを構成する全ての壁パネル３に、それぞれ施工される対象住戸１を表示するための住戸表示４と、対象住戸１内に間仕切り壁２を形成するに当っての該対象住戸１内における各壁パネル３の施工位置を特定して表示するための位置表示５とを設けて成ることを特徴とするものである。
【０００７】
このような構成とすることで、住戸１内に間仕切り壁２を形成するに当っては、各壁パネル３の施工毎に、各壁パネル３に設けた住戸表示４と位置表示５とを目で確認しながら、当該壁パネル３を施工する対象の住戸１を確認し且つ当該住戸１のどの位置に当該壁パネル３を施工したらよいかを確認しながら、当該壁パネル３を目的とする対象住戸１の割り付けられた設計通りの位置に施工ができる。したがって、サイズが同じで且つ外観が似ている壁パネル３が複数存在しても、各壁パネル３を正確且つ迅速に割り付けられた設計通りの所定の位置に施工できる。このようにあらかじめ工業化された複数の壁パネル３で間仕切り壁２を形成できるので、施工工期が短縮化され、また、職人の熟練度の差による施工工期のばらつきや施工品質の不安定化を無くすことが可能となり、また、パネル化することで、現場での廃棄物の発生が現場施工による在来工法に比べて少なくなって廃棄物の処理に要する手間も少なくなる。また、工業化パネルとすることで、品質精度が向上するため、建具枠を後付けすることが可能となり、後付けした場合には建具枠の傷付きを防止できることになる。更に、配線器具を取付ける開口や配線用の孔をあらかじめ工場で形成しておくことで、大工工事と電気工事との錯綜を防止することが可能となる。
【０００８】
また、各壁パネル３に上記住戸表示４、位置表示５に加え、壁パネル３の一面又は両面が間仕切りする２部屋のうちどちらの部屋側に位置するかを表示する部屋表示６を設けることが好ましい。
【０００９】
このような構成とすることで、壁パネル３を、当該壁パネル３に設けられた住戸表示４と位置表示５とに基づいて、対象となる住戸１の決められた位置に施工するに当り、当該壁パネル３の両面のうちどの面をどちらの部屋側に位置させるかが判り、より簡単且つ正確に各壁パネル３を設計通りに施工することができる。
【００１０】
また、各壁パネル３に上記住戸表示４、位置表示５に加え、壁パネル３の一面又は両面が間仕切りする２部屋のうちどちらの部屋側に位置するかを表示する部屋表示６を設け、少なくとも部屋表示６が壁パネル３の側端面に設けることが好ましい。
【００１１】
このような構成とすることで、壁パネル３を、当該壁パネル３に設けられた住戸表示４と位置表示５とに基づいて、対象となる住戸１の決められた位置に施工するに当り、当該壁パネル３の両面のうちどの面をどちらの部屋側に位置させるかが判り、より簡単且つ正確に一つ一つの壁パネル３を設計通りに施工することができ、しかも、壁パネル３の側端面に部屋表示６が設けてあるので、壁パネル３を施工する際、壁パネル３の両面をそれぞれ確認することなく、壁パネル３の側端面を見るだけで、壁パネル３の両面の向きが一目で確認でき、施工性がよりいっそう向上する。
【発明の効果】
【００１２】
本発明は、壁パネルセットを構成する全ての壁パネルに、それぞれ施工される対象住戸を表示するための住戸表示と、対象住戸内に間仕切り壁を形成するに当っての該対象住戸内における各壁パネルの施工位置を特定して表示するための位置表示とを設けてあるので、各壁パネルの施工毎に、当該壁パネルを施工する対象の住戸及び当該住戸のどの位置に当該壁パネルを施工したらよいかを確認しながら施工ができ、短い施工工期で施工品質の優れた間仕切り壁を施工することができ、また、パネル化するので、現場における廃棄物の処理に要する手間が少なくなり、また、建具枠を後付けすることが可能となって建具枠の傷付きを防止することが可能となり、更に、大工工事と電気工事との錯綜を防止することも可能となり、いっそう施工工期の短縮及び施工品質の向上が図れる。
【００１３】
また、部屋表示を設けることで、壁パネルのどの面を間仕切りする２つの部屋のどの部屋側に位置させるかということを誤り無く簡単且つ正確に施工でき、施工位置は正確であるが壁パネルの両側面の向きが逆に施工されるといったトラブルを解消できる。
【００１４】
また、部屋表示を壁パネルの側端面に設けることで、壁パネルを施工する際、壁パネルの両面をそれぞれ確認することなく、壁パネルの側端面を見るだけで、壁パネルの両面の向きが一目で確認でき、より簡単且つ確実に設計通りの施工できて壁パネルの両側面の向きが逆に施工されるといったトラブルを解消できる。
【発明を実施するための最良の形態】
【００１５】
以下、本発明を添付図面に示す実施形態に基いて説明する。本発明においては、住戸１の間仕切り壁２を複数の壁パネル３により形成してある。この住戸１の間仕切り壁を形成するための複数の壁パネル３は工業化パネルであって、あらかじめ工場で形成されるものであり、一つの特定の住戸１につき当該住戸１内の間仕切り壁２を形成するための全ての壁パネル３により当該住戸１用の一組の壁パネルセットが構成してある。
【００１６】
図３には多数の住戸１が集合したマンションにおけるある住戸１の平面図（間仕切り壁２を壁パネル３で割り付ける前の平面図）が示してあり、この平面図は、住戸１内を間仕切り壁２により複数の部屋（キッチン、リビング、個室、ベッドルーム、玄関、廊下、トイレ・洗面所・風呂等のサニタリー空間等）に間仕切りする設計図の一例である。
【００１７】
このような平面図に基づいて、当該住戸１の間仕切り壁２が形成されるのであるが、本発明においてはこの当該住戸１の間仕切り壁２を形成するための複数の壁パネル３よりなる一組のパネルセットを工場で形成するため、工業化に適するように壁パネル３を割り付ける必要がある。
【００１８】
図４は図３の平面図に基づいて間仕切り壁２を形成するための複数の壁パネル３の割り付け図の一例が示してあり、一住戸１毎に当該住戸１の間仕切り壁２を形成するために割り付けられたすべての壁パネル３に対して、間仕切り壁２のどの位置に各壁パネル３が位置するか（つまりどの位置に割り付けられるか）を特定し且つ他の壁パネル３と区別するために割り付けられた各壁パネル３毎に図面上において割り付け位置を表示する割り付け位置表示記号７が記載してある。
【００１９】
図４において割り付け位置表示記号７として、割り付けられた各壁パネル３にそれぞれ異なる丸付数字を付けて記載してある。すなわち、図４においては丸付数字１から丸付数字３７までの３７枚の壁パネル３を割り付けて該当する住戸１の間仕切り壁２を形成するようになっている。
【００２０】
上記図４の割り付け図のように割り付けられる当該住戸１の間仕切り壁２を形成するための全ての壁パネル３（図４においては３７枚）は工場で形成し、形成された全ての壁パネル３を一組の壁パネルセットとして現場に出荷して、該当する住戸１において後述のようにして施工することで間仕切り壁２を形成するようになっている。工場で形成される壁パネル３はパネル枠１０の両面に石膏ボードのような面板１１を取着したもので、壁パネル３を工場で形成する際に、必要に応じて面板１１のある位置（後述の割り付けによって決定された位置）にコンセント、スイッチ等の配線器具を取付けるための配線器具取付け用開口部８を形成したり、パネル枠１０には配線を通すための通線用の孔１２を形成したり、あるいは必要に応じて面板１１の裏側に補強板１３を積層して取付けたりするものである。
【００２１】
ここで、壁パネル３の割り付けに当っては、例えば次のようにして割り付けする。
【００２２】
以下、図３における複数の間仕切り壁２のうちＸで囲んだ部分で示す間仕切り壁２を例にとって説明する。Ｘで囲んだ部分で示す間仕切り壁２は、長さＬ＝３３３０ｍｍで、間仕切り壁２の一端（図３でＰで示す）から６００ｍｍ離れた位置の部屋Ａ側の面、１９５０ｍｍ離れた位置の部屋Ｂ側の面、２８８０ｍｍ離れた位置の部屋Ｂ側の面、３２１５ｍｍ離れた位置の部屋Ａ側の面にそれぞれ配線器具を設け、更に、図３において複数の間仕切り壁２のうちＸで囲んだ部分で示す間仕切り壁２の右端部分にエアコン下地としての補強板１３を設ける設計となっており、このため、図３は説明の都合上、Ｘで囲んだ部分で示す間仕切り壁２についてのみ配線器具表示記号９を記載し、上記Ｐからの寸法を記載し、更にエアコン下地の位置を表示しているが、実際の図面では他の間仕切り壁２にも同様の配線器具表示記号９や寸法やエアコン下地の位置等が記載される。
【００２３】
また、工場で壁パネル３を形成するため、できるだけ、間仕切り壁２を形成するための複数の壁パネル３として標準サイズの壁パネル３ａを使用し、割り付けた際に標準サイズの壁パネル３ａのみでは収まらない場合、標準サイズの壁パネル３ａよりも横長さ寸法が短い寸法調整用の壁パネル３ｂを使用するように割り付けるようにし、また、上記条件を満たしながら生産性、施工性を考慮して、割り付ける壁パネル３の数を少なくするという条件下で割り付けを行う。
【００２４】
ここで、標準サイズの壁パネル３ａの横長さ寸法をＭ、寸法調整用の壁パネル３ｂの横長さ寸法をＮとした場合、Ｌ＝ｎ×Ｍ＋Ｎとなる（ｎ：整数、Ｍ＞Ｎ）。そして、図３、図４の例では標準サイズの壁パネル３ａの横長さ寸法Ｍ＝９１０ｍｍであるため、Ｎ＝６００ｍｍとなり、ｎは３となる。つまり、Ｘで囲んだ部分で示す間仕切り壁２は、横長さ寸法が９１０ｍｍの標準サイズの壁パネル３ａを３枚と、横長さ寸法が６００ｍｍの寸法調整用壁パネル３ｂを１枚使用して形成されることになる。そして、上記横長さ寸法が９１０ｍｍの３枚の標準サイズの壁パネル３ａと、横長さ寸法が６００ｍｍの１枚の寸法調整用壁パネル３ｂとをどのように配置して割り付けるかであるが、間仕切り壁２の一端でＰから６００ｍｍ離れた位置の部屋Ａ側の面に配線器具を設ける設計となっているため、図４のＸで囲んだ部分で示す間仕切り壁２の図面上最も左端に横長さ寸法が６００ｍｍの寸法調整用壁パネル３ｂが位置するような割り付けを行うと、Ｐから６００ｍｍ離れた位置にパネル枠１０の端面が位置することになり、Ｐから６００ｍｍ離れた位置の部屋Ａ側の面に配線器具取付け用開口部８を設けることができなくなる。したがって、図４に示すように、Ｘで囲んだ部分で示す間仕切り壁２において図面上最も左端には横長さ寸法Ｍ＝９１０ｍｍの標準サイズの壁パネル３ａを配置するという割り付けになる。また、標準サイズの壁パネル３ａを連続させ、寸法調整用の壁パネル３ｂを端に位置させるのが施工上及び収まり上、好ましいので、Ｘで囲んだ部分で示す間仕切り壁２において図面上最も右端には横長さ寸法が６００ｍｍの寸法調整用壁パネル３ｂを配置するという割り付けになり、更に、中間には横長さ寸法Ｍ＝９１０ｍｍの標準サイズの壁パネル３ａを２枚配置するという割り付けになる。
【００２５】
上記のようにして、図３、４のＸで囲んだ部分で示す間仕切り壁２において図面上、左から右にかけて順番に割り付けた４枚の壁パネル３に図４のように丸付数字１〜丸付数字４として割り付け位置表示記号７を施すのであるが、ここで、丸付数字１〜丸付数字４で特定される壁パネル３は、それぞれ、図３の設計図に示される位置に配線器具を取付けることができるように設計図に対応した面の設計図に対応した位置の面板１１に配線器具取付け用開口部８を工場で形成し、また、これに対応してパネル枠１０に通線用の孔１２を工場で形成したり、あるいは、エアコン等の下地となる補強板１３を工場で取付けたりする。なお、図４において丸付数字２で示す標準サイズの壁パネル３ａには配線器具取付け用開口部８や通線用の孔１２や補強板１３を設けない設計となっている。このようにして図４のように割り付けられた複数の壁パネル３は工場で形成され、現場に搬送して現場で各壁パネル３を施工することで間仕切り壁２を形成するのであるが、図５には工場で形成された丸付数字１〜丸付数字４で特定される４枚の壁パネル３を横に並べた図面が示してある。
【００２６】
上記の説明では図３、４でＸで囲んだ部分で示す間仕切り壁２を形成するにあたって複数の壁パネル３を割り付けする例を説明したが、図３、４において住戸１には上記Ｘで囲んだ部分で示す間仕切り壁２以外にも複数の間仕切り壁２があり、これら他の間仕切り壁２の上記と同様にしてそれぞれ壁パネル３を割り付けする。このようにして割り付けられた壁パネル３にそれぞれ割り付け位置を特定して表示するための割り付け位置表示記号７として図面に丸付数字１から丸付数字３７を記載して割り付けられた各壁パネル３をそれぞれ特定するようになっている。これにより、どの壁パネル３がどの割り付け位置に配置されるかが判るようになっている。
【００２７】
上記のようにして割り付けられた丸付数字１から丸付数字３７に対応した３７枚の壁パネル３を工場で作成するのであるが、工場では更に作成された丸付数字１から丸付数字３７に対応する３７枚の壁パネル３にはそれぞれ施工される対象住戸１を表示するための住戸表示４と、対象住戸１内に間仕切り壁２を形成するに当っての該対象住戸１内における各壁パネル３の施工位置を特定して表示するための位置表示５が設けられる。例えば、多数の住戸１が集合したマンションの場合、住戸表示４としては住戸番号を表示し、戸建て住戸１の場合は○○邸といった住戸名称を表示をする。また、対象住戸１内における各壁パネル３の施工位置を特定して表示するための位置表示５は、複数の壁パネル３により間仕切り壁２を形成するに当っての各壁パネル３の割り付け位置により施工位置の特定ができるので、前述の割り付けにより各壁パネル３の割り付け位置を特定するための丸付数字１から丸付数字３７に対応して、パネル番号として１〜３７を表示する。ここで、パネル番号１、２、３……３７はそれぞれ割り付け番号である丸付数字１、２……３７に対応する。
【００２８】
また、各壁パネル３には上記住戸表示４、位置表示５に加え、壁パネル３の一面又は両面が間仕切りする２部屋のうちどちらの部屋側に位置するかを表示する部屋表示６が設けられる。
【００２９】
図１、図２に示す実施形態では、各壁パネル３の側端面に表示シール１５を貼り付けてあり、この表示シール１５に上記住戸表示４、位置表示５、部屋表示６が表示してある。すなわち、図１においては、図４の壁パネルの割り付け図におけるパネル割り付け番号である丸付数字３に対応するパネル番号３の壁パネル３が例示してあり、該パネル番号３の壁パネル３の側端面に貼り付けた表示シール１５の上部には２１０３−３と記載してあり、これは、２１０３（２１階の３号室）という住戸番号（住戸表示４）と、３番というパネル番号（位置表示５）を表示している例であり、また、表示シール１５の下部の左側に部屋名Ａ、右側に部屋名Ｂと記載してあるが、これば当該壁パネル３の表示シール１５を貼った端面に向かって左側に部屋Ａが位置し、右側に部屋Ｂが位置することを表示している。
【００３０】
更に、図２においては、図４の壁パネルの割り付け図におけるパネル割り付け番号である丸付数字４に対応するパネル番号４の壁パネル３が例示してあり、該パネル番号４の壁パネル３の側端面に貼り付けた表示シール１５の上部には２１０３−４と記載してあり、これは、２１０３（２１階の３号室）という住戸番号（住戸表示４）と、４番というパネル番号（位置表示５）を表示している例であり、また、表示シール１５の下部の左側に部屋名Ａ、右側に部屋名Ｂと記載してあるが、これは当該壁パネル３の表示シール１５を貼った端面に向かって左側に部屋Ａが位置し、右側に部屋Ｂが位置することを表示している。
【００３１】
したがって、工場で形成した住戸表示４、位置表示５、部屋表示６が付けられた対象となる住戸１の間仕切り壁２を形成するための全ての壁パネル３が一組のパネルセットとなって、現場に搬送され、該一組のパネルセットを用いて対象住戸１において間仕切り壁２を施工するものである。この場合、各壁パネル３毎に住戸表示４、位置表示５、部屋表示６が付けてあるので、各壁パネル３の施工毎に、当該壁パネル３を施工する対象の住戸１を確認し且つ当該住戸１のどの位置に当該壁パネル３を施工したらよいかを確認しながら、当該壁パネル３を目的とする対象住戸１の設計通りの割り付け位置に施工ができる。
【００３２】
これによりサイズが同じで且つ外観が似ている壁パネル３が複数存在しても、配線器具取付け用開口部８の有無、その位置、あるいは、補強板１３の有無、その位置等の様々に異なる各壁パネル３を図４の割り付け図の通り正確な位置に建て込むことができる。また、部屋表示６を見ることで、当該壁パネル３の両面のうちどの面をどちらの部屋側に位置させるかが判るので、壁パネル３の両面の向きを誤りなく正確に設計通りに施工することができる。この場合、図１、図２のように壁パネル３の両面が間仕切りする２部屋のうちそれぞれどちらの部屋側に位置するかを表示する部屋表示６を壁パネル３の側端面に設けることで、壁パネル３を施工する際、壁パネル３の両面をそれぞれ目で確認することなく、壁パネル３の側端面を見るだけで、壁パネル３の両面の向きが一目で確認でき、施工性がよりいっそう向上することになる。
【００３３】
上記例では多数の住戸１が集合したマンションにおける１つの住戸１について間仕切り壁２を形成するためのパネルセットの例を示したが、マンションにおいて他の住戸１においても、上記と同様にして当該別の住戸１に対応した間仕切り壁２を形成するために壁パネル３の割り付けを行い、当該別の住戸１に対応した割り付けに基づいたパネルセットを工場で形成し、該パネルセットを構成する各壁パネル３毎に上記と同様にして住戸表示４、位置表示５、部屋表示６を付け、これを現場に運んで、対象となる他の住戸１の間仕切り壁２を形成する。このようにすることで、マンションのように多数の住戸１が集合した建物において、住戸１毎に平面プランが異なる場合であっても、各住戸１毎に異なる間仕切り壁２を工業化した壁パネル３を用いて形成するに当って、各住戸１毎に間違うことなく間仕切り壁２を形成することができる。
【００３４】
また、多数の住戸１が集合したマンションにおいては、壁パネル３を搬送する際に、住戸番号の異なる複数の住戸１の壁パネル３又はパネルセットを工場からトラックに混載して現場に搬送し、場合によっては現場に混載状態で一時的に保管し、工事の進捗状況に応じて各住戸１空間に運んで施工する場合がある。このような場合でも本発明においては、各壁パネル３毎に住戸表示４が設けてあるので、混載しあっても、各壁パネル３をそれぞれ住戸表示４で特定される住戸番号の住戸１に誤りなく運んで施工することができ、この結果、多数の住戸１が集合したマンションにおいて、各住戸１毎に異なる間仕切り壁２を形成するような場合であっても、工業化した複数の壁パネル３よりなるパネルセットを用いて簡単に各住戸１の間仕切り壁２を形成できることになる。
【００３５】
上記間仕切り壁２を形成するためのパネルセットを構成する複数の壁パネル３は、例えば下記のような施工順序により施工される。
【００３６】
まず当該住戸１に床下地２０、天井下地２１の順に先行して施工する。床下地２０としては例えば２重床下地であり、スラブのような床基部２２上にアジャスター脚２３を立設して該アジャスター脚２３により床下地材２０ａを支持することで２重床下地を形成する。また、上階のスラブから吊り具などを介して天井下地２１を吊設することで天井下地２１を形成する。
【００３７】
このようにして床下地２０、天井下地２１を先行施工した後、壁パネル３を施工する。壁パネル３の施工に当っては、図７に示すように床下地２０上の設計により特定される位置に床ランナ２４を固着し、該床ランナ２４に壁パネル３の下端部を嵌め込んで立設し、壁パネル３を床ランナ２４と天井下地２１とにそれぞれ固着する。隣接する壁パネル３同士は雇い実２５を介して接合する。このようにして複数の壁パネル３を施工して間仕切り壁３を形成する。
【００３８】
上記のように、床下地２０、天井下地２１を先行した後、壁パネル３を建て込んで間仕切り壁２を形成すると以下のような効果が得られる。すなわち、床下地２０、天井下地２１を先行して施工することで、床高さ、天井高さを精度良く施工できて、工業化壁パネル３をアジャスター機構なしで取付けることができ、壁パネル３形状の単純化が図れる。また、後からのリフォーム性、設計変更にも容易に対応できる。また、天井下地２１施工時に床下地２０を施工してあるので、安全に天井下地２１の施工ができる。更に、広い空間での天井下地２１の施工は部材の振り回しが楽で施工効率が上がり、間仕切り壁２で仕切る前に広く空間のときにキッチンなどの大きな部材を搬入することができて、搬入が容易となり、搬入時の傷付きを削減できる。更にまた、床下の配管設置後に２重床下地を形成して覆うことで、その後の天井下地２１施工や間仕切り壁２の施工工程で配管を踏んだりして傷付けることがない。
【００３９】
もちろん、本発明の間仕切り壁２を形成するためのパネルセットを構成する複数の壁パネル３の施工は、上記のような施工順序で施工されるものにのみ限定されず、他の施工順序により施工してもよい。例えば、壁パネル３を先行施工した後、床下地２０、天井下地２１を施工したりしてもよい。
【図面の簡単な説明】
【００４０】
【図１】本発明の壁パネルセットを構成する複数の壁パネルのうちの一つの壁パネルを示す斜視図である。
【図２】同上の他の壁パネルを示す斜視図である。
【図３】同上の壁パネルを割り付ける前の住戸の平面図である。
【図４】同上の壁パネルを割り付けた状態の平面図である。
【図５】同上の図５のＸで囲んだ部分に割り付けられる４枚の壁パネルを横一列に並べた状態の正面図である。
【図６】同上の補強板を設けた壁パネルの例を示す断面図である。
【図７】同上の壁パネルの施工例を示す分解斜視図である。
【符号の説明】
【００４１】
１  住戸
２  間仕切り壁
３  壁パネル
４  住戸表示
５  位置表示
６  部屋表示
【図１】
2008007968.tif 000003
【図２】
2008007968.tif 000004
【図３】
2008007968.tif 000005
【図４】
2008007968.tif 000006
【図５】
2008007968.tif 000007
【図６】
2008007968.tif 000008
【図７】
2008007968.tif 000009